(57)【特許請求の範囲】
【請求項１】
支柱片持ちの屋根自由端及び上記支柱の外側面上方にそれぞれ設置した受基板と該受基板の係脱手段一方にして共通の係脱挿入孔を有する屋根用及び支柱用の各吊持支承金具と，これら吊持支承金具と対をなして地表及び上記支柱の外側面下方にそれぞれ設置した地表用及び支柱用の各受金具と，上記支柱の吊持支承金具と受金具間の間隔より短寸の縮小長さを有して伸縮自在とし上記屋根自由端の吊持支承金具と地表の受金具間に介設して屋根自由端を支承する補助支柱と，該補助支柱の上端に設置し補助支柱を介して上記係脱挿入孔に挿入回動することにより各吊持支承金具に互換的に係脱自在とした係脱手段他方の係脱金具と，上記補助支柱の下端に設置し各受金具に係脱自在とした係合金具とを備え且つ上記支柱用の受金具又は該受金具の支柱近傍位置に，受金具と係合金具との外れ止め手段を設けてなることを特徴とする片持ち屋根自由端支承装置。
【請求項２】
上記係脱手段一方の係脱挿入孔を，長手方向中間位置又は端部に拡幅部を有する受基板に透設した横長透孔とし，係脱手段他方の係脱金具を台座上に起立した上記拡幅部で回動自在な起立軸とその一側又は両側に突設した係止突起とによる逆Ｌ字状又は十字状乃至Ｔ字状としてなることを特徴とする請求項１の片持ち屋根自由端支承装置。
【請求項３】
上記屋根用の吊持支承金具を，係脱挿入孔を有する受基板と，ボルト挿通孔を有して受基板両側に起立した両側一対の起立板とによりＵ字状に形成し，該起立板間に屋根支持用の梁を受入れ，該梁先端にボルト挿通孔を介したボルトの軸支固定を行うことによって屋根自由端に設置してなることを特徴とする請求項１又は２の片持ち屋根自由端支承装置。
【請求項４】
上記Ｕ字状に形成した梁固定用の吊持支承金具に加えて，ネジ孔を有する固定基板と，ボルト挿通孔を有して固定基板両側に垂下した両側一対の垂下板とによりＵ字状に形成した取付金具を用い，該取付金具を屋根フレームの前枠長手方向中間位置下面に上記固定基板のネジ孔を介してネジ止めするとともに垂下板と起立板を重合し双方のボルト挿通孔を介してボルトの軸支固定を行うことによって，梁固定用の吊持支承金具を屋根フレーム前枠固定用に共用し該吊持支承金具を屋根自由端に設置してなることを特徴とする請求項３の片持ち屋根自由端支承装置。
【請求項５】
上記補助支柱下端の係合金具を，少くとも地表の受金具に対して，吊持支承金具と係脱金具における係脱手段の係止状態で係脱自在とし，非係止状態で係脱不能としてなることを特徴とする請求項１，２，３又は４の片持ち屋根自由端支承装置。
【発明の詳細な説明】
【０００１】
【発明の属する技術分野】
本発明はカーポート等片持ち屋根の自由端を補助支柱で支承するように用いる片持ち屋根自由端支承装置に関する。
【０００２】
【従来の技術】
カーポートの如くに，支柱片持ちの屋根の強風による煽りや積雪時の垂れ下り等を防止し，片持ち屋根に耐風圧性，耐荷重性を付与する，この種片持ち屋根自由端支承装置は，例えば本出願人の実公平４−１９１５４号に示されるように，支柱片持ちの屋根自由端，特に屋根支持用の梁先端に設置した吊持固定金具と，該吊持固定金具と対をなして地表に設置した地表用の受金具と，上記梁の長手方向中間に設置した掛止金具と，上記吊持固定金具に回動自在に上端を固定し伸縮自在として該吊持固定金具と地表の受金具間に介設し屋根自由端を支承する補助支柱を備えたものとされており，このとき補助支柱は，屋根自由端支承の必要のない時期には，吊持固定金具に吊持固定のまま回動してその長手方向端部を上記掛止金具に掛止めし，梁に添設状にしてその収納を行い，支承の必要に応じて掛止金具から外して回動し，受金具との間に介設してセットし，その支承を行うように用いるものとされている。
【０００３】
【発明が解決しようとする課題】
この場合，補助支柱は上方高所の構造材である梁に添設状に収納されるから，外観を損い易くまた使用者に落下の不安を惹起するものとなり易く，また補助支柱は，その収納とセットに際して梁先端の吊持固定金具を回動支点とし，屋根自由端から屋根内方に湾曲した軌跡を画いて回動することによって，地表の受金具と掛止金具間を往復するものとされるから，伸縮自在のものとされるとはいえ，その下端の軌跡が，例えばカーポートにあって屋根下に置かれた車輛と交差することになるのを一般に避けることができず，従ってこの場合，屋根下の軌跡交差の可能性のある車輛等回動の障害物を移動除去した後に補助支柱を回動し，その後に障害物を元のとおりに復帰することが不可欠となり，その収納とセットは，煩雑であり，必ずしも容易とはいえない。
【０００４】
更にこの場合補助支柱は，吊持固定金具を介して梁に固定し，梁に添設状に収納するから，補助支柱固定の対象としての梁のない片持ち屋根，例えば支柱長手方向中間で屋根を片持ちする一方，梁を用いることなく支柱上端に屋根自由端を吊持ちした，いわゆる上吊りタイプ乃至吊持タイプのカーポート等の片持ち屋根においては，その自由端の支承を行うことができず，この種片持ち屋根の使用地域は，補助支柱による支承の必要のない地域に限定されるに至っている。
【０００５】
本発明はかかる事情に鑑みてなされたもので，その解決課題とする処は，補助支柱の収納を使用者の不安を惹起することなく外観よく行い且つ収納とセットとを，車輛等屋根下の障害物の移動除去を行うことなく容易になし得るようにするとともに梁を用いない片持ち屋根にも適用し得るようにした片持ち屋根自由端支承装置を提供するにある。
【０００６】
【課題を解決するための手段】
上記課題に添って本発明は，梁，前枠等屋根自由端にこれに合わせた吊持支承金具を設置し，補助支柱をこの吊持支承金具に係脱自在に吊持支承することによって，これと地表の受金具間に介設するようにし，補助支柱の取外しと取付けセットを可能とする一方，屋根を片持ちする支柱に同じく吊持支承金具と受金具を設置し，吊持支承金具に補助支柱の互換的な吊持支承をなし得るようにすることによって，支柱の外側面に対する添設状の収納を可能とし得るように，補助支柱と各吊持支承金具及び受金具の関係を規定するようにしたものであって，即ち本発明は請求項１を，支柱片持ちの屋根自由端及び上記支柱の外側面上方にそれぞれ設置した受基板と該受基板の係脱手段一方にして共通の係脱挿入孔を有する屋根用及び支柱用の各吊持支承金具と，これら吊持支承金具と対をなして地表及び上記支柱の外側面下方にそれぞれ設置した地表用及び支柱用の各受金具と，上記支柱の吊持支承金具と受金具間の間隔より短寸の縮小長さを有して伸縮自在とし上記屋根自由端の吊持支承金具と地表の受金具間に介設して屋根自由端を支承する補助支柱と，該補助支柱の上端に設置し補助支柱を介して上記係脱挿入孔に挿入回動することにより各吊持支承金具に互換的に係脱自在とした係脱手段他方の係脱金具と，上記補助支柱の下端に設置し各受金具に係脱自在とした係合金具とを備え且つ上記支柱用の受金具又は該受金具の支柱近傍位置に，受金具と係合金具との外れ止め手段を設けてなることを特徴とする片持ち屋根自由端支承装置とし，請求項２乃至５は，上記に加えて更に操作性を向上し，設置を容易化し，異なる屋根自由端への対応につき部材の共通化を図り，屋根自由端の支承に誤操作を防止して支承の確実性を確保し，または補助支柱の収納の確実性を向上するようにそれぞれ好ましい形態のものとしたものであって，即ち請求項２はこれを，上記係脱手段一方の係脱挿入孔を，長手方向中間位置又は端部に拡幅部を有する受基板に透設した横長透孔とし，係脱手段他方の係脱金具を台座上に起立した上記拡幅部で回動自在な起立軸とその一側又は両側に突設した係止突起とによる逆Ｌ字状又は十字状乃至Ｔ字状としてなることを特徴とする請求項１の片持ち屋根自由端支承装置，請求項３はこれを，上記屋根用の吊持支承金具を，係脱挿入孔を有する受基板と，ボルト挿通孔を有して受基板両側に起立した両側一対の起立板とによりＵ字状に形成し，該起立板間に屋根支持用の梁を受入れ，該梁先端にボルト挿通孔を介したボルトの軸支固定を行うことによって屋根自由端に設置してなることを特徴とする請求項１又は２の片持ち屋根自由端支承装置，請求項４はこれを，上記Ｕ字状に形成した梁固定用の吊持支承金具に加えて，ネジ孔を有する固定基板と，ボルト挿通孔を有して固定基板両側に垂下した両側一対の垂下板とによりＵ字状に形成した取付金具を用い，該取付金具を屋根フレームの前枠長手方向中間位置下面に上記固定基板のネジ孔を介してネジ止めするとともに垂下板と起立板を重合し双方のボルト挿通孔を介してボルトの軸支固定を行うことによって，梁固定用の吊持支承金具を屋根フレーム前枠固定用に共用し該吊持支承金具を屋根自由端に設置してなることを特徴とする請求項３の片持ち屋根自由端支承装置，請求項５はこれを，上記補助支柱下端の係合金具を，少くとも地表の受金具に対して，吊持支承金具と係脱金具における係脱手段の係止状態で係脱自在とし，非係止状態で係脱不能としてなることを特徴とする請求項１，２，３又は４の片持ち屋根自由端支承装置とし，これらをそれぞれ発明の要旨として上記課題解決の手段としたものである。
【０００７】
【発明の実施の形態】
以下図面に従って本発明を更に具体的に説明すれば，図１乃至図９においてＡはカーポート，特に上りタイプとしたカーポート，１はその支柱，２はその梁，３は該梁２を介して支柱１に片持ちした片持ち屋根，１０及び２０は，屋根自由端及び支柱１の外側面上方にそれぞれ設置した屋根用及び支柱用の各吊持支承金具，２６及び３０はこれら吊持支承金具１０，２０と対をなして地表及び上記支柱１の外側面下方にそれぞれ設置した地表用及び支柱用の受金具，４０は該屋根自由端を支承する取外し収納と取付けセットを可能とした補助支柱，４４は上記補助支柱４０上端に設置した係脱金具，５０は該補助支柱４０の下端に設置した係合金具であり，補助支柱４０はこれらにより上記取外し収納と取付けセットを可能とし，また収納を支柱１に添設状に行うものとしてある。
【０００８】
即ち屋根用及び支柱用の各吊持支承金具１０，２０は，これを受基板１１，２１と該受基板１１，２１の係脱手段一方にして共通の係脱挿入孔１２，２２を有するものとし，補助支柱４０は，これを上記支柱１の吊持支承金具１０と受金具３０間の間隔より短寸の縮小長さを有して伸縮自在とし上記屋根自由端の吊持支承金具１０と地表の受金具２６間に介設して上記屋根自由端を支承するものとし，係脱金具４４は，これを補助支柱４０の上端に設置し補助支柱４０を介して上記係脱挿入孔１２，２２に挿入回動することにより各吊持支承金具１０，２０に互換的に係脱自在とした係脱手段他方のものとし，また係合金具５０は，これを各受金具２６，３０に同様に互換的に係脱自在としたものとしてあり，これによって係脱金具４４を屋根自由端の吊持支承金具１０に挿入回動して係止する一方，伸縮長さを調整するとともに係合金具５０を地表の受金具２６に係合して補助支柱４０をこれらの間に介設し，屋根自由端の支承を行い，またこれを取外し，伸縮長さを縮小し，同じように係脱金具４４を支柱１の吊持支承金具２０に挿入回動して係止する一方，係合金具５０を支柱１の受金具３０に係合して補助支柱４０を，支柱１に添設状に収納し得るようにしたものとしてある。
【０００９】
本例にあって屋根用の吊持支承金具１０は，これを係脱挿入孔１２を有する受基板１１と，ボルト挿通孔１４を有して受基板１１両側に起立した両側一対の起立板１３とによりＵ字状に形成し，該起立板１３間に屋根支持用の梁２を受入れ，該梁２先端にボルト挿通孔１４を介したボルト１５の軸支固定を行うことによって屋根自由端に設置したものとしてあり，一方支柱用の吊持支承金具２０は，これを同じく係脱挿入孔２２を有する受基板２１とネジ孔２４を有してその一側に起立又は垂下した固定板２３とによりＬ字状に形成し，該固定板２３を支柱１に対接し，該支柱１に上記ネジ孔２４を介してネジ２５固定を行うことによって支柱１外側面上方に設置したものとしてある。
【００１０】
このとき係脱手段一方の係脱挿入孔１２，２２は，これを長手方向中間位置に拡幅部を有する受基板１１，２１に透設した横長透孔として，これら各吊持支承金具１０，２０にそれぞれ鍵穴状の水平に設けたものとしてあり，これと係脱手段をなす係脱手段他方の係脱金具４４は，これを台座４５上に起立した上記拡幅部で回動自在な起立軸４７とその両側に突設した係止突起４８とによる十字乃至Ｔ字状としてあり，本例にあって該係脱金具４４は，補助支柱４０上端開口部に挿入し，ネジ，リベット等を用いて嵌挿固定した嵌挿固定部４５と，その水平基部による台座４５上に起立固定した太径短円柱状の起立軸４７と，その上方両側に溶着突設した短円柱杆状の係止突起４８とにより十字状とする一方，上記台座４５上に，本例にあって間隔規制用に上位の台座をなし且つ回動をスムーズに行うための平座金４９を載設したものとしてある。
【００１１】
従ってこの係脱金具４４は，各吊持支承金具１０，２０の共通の係脱挿入孔１２，２２にそれぞれ向きを合わせて互換的に挿入自在，引抜き離脱自在となり，また拡幅部で起立軸４７を回動させることにより，台座４５，本例にあっては平座金４９を介した台座４５と係止突起４８間に受基板１１，２１を挟み込んでこれに同じく互換的に係止自在となり，これにより各吊持支承金具１０，２０の係脱挿入孔１２，２２と係脱金具４４とは上記互換的に係脱自在な係脱手段をなすものとなる。
【００１２】
このとき係脱金具４４は，その上記嵌挿固定部４５を補助支柱４０上端に嵌挿固定し，独立して回動不能であり，従ってその係脱挿入孔１２，２２に対する挿入回動は，補助支柱４０を回動することによって，これを介して行うものとしてある。
【００１３】
一方，地表用及び支柱用の各受金具２６，３０は，上記吊持支承金具１０，２０によって吊持支承した補助支柱４０を，地表又は支柱１下方において固定又は保持することによって，上記補助支柱４０による屋根自由端の支承とその収納を行うように，係脱手段一方の互換性を有するようにした共通又は異なる受体２７，３１を有するものとしてあり，本例にあって地表用の受金具２６は，上端水平杆部を引掛係止用の受体２７とする太径屈曲線材による下向きコ字状にして上記受体２７を地表面又は地方上に露出し，上記吊持支承金具１０を梁２に軸支したことにより回動自在としたこれに吊持支承した補助支柱４０の回動軌跡上にして屋根自由端下方の垂下位置又は近傍位置にして，例えば補助支柱４０を垂直又は傾斜する位置において地中に埋込設置したアンカー金具によるものとし，支柱用の受金具３０は，水平板部による受体３１と，ネジ孔３３を有してその一側に垂下又は起立した固定板３２とによりＬ字状に形成し，該固定板３２を支柱１に対接し，該支柱１にネジ孔３３を介してネジ３４固定を行うことによって支柱１外側面下方に設置したものとしてある。
【００１４】
このとき補助支柱４０下端の係合金具５０は，上記各受金具２６，３０に互換的に係脱自在な上記受体と係脱手段をなすものとしてあり，本例にあって係合金具５０は，上記受体２７，３１を共通に受入れ自在な水平のコ字状受溝５２を有するものとしてあり，このとき更に本例にあっては，これを少くとも地表の受金具２６に対して，吊持支承金具１０と係脱金具４４における係脱手段の係止状態で係脱自在とし，非係止状態で係脱不能としたものとしてある。
【００１５】
即ち本例の係合金具５０は，補助支柱４０下端開口部に閉塞部材とともに挿入し，同様にネジ，リベット等を用いて嵌挿固定した嵌挿固定部５１とこれに一連にして板材を折曲加工してコ字状とし，上記地表の受金具２６の受体２７を一方向に受入れ自在とするようにコ字状板材によるコ字状受溝５２を，上記補助支柱４０の回動方向と異なる側面方向にして，上記係脱金具４４の係止突起４８突設方向と交差する方向に，上記受体２７を回動受入れしこれに係合自在とするようにその受入れ開口を向けたものとしてある。
【００１６】
従ってこの係合金具５０は，補助支柱４０が吊持支承金具１０に吊持支承されない限り，地表の受金具２６に係合自在，引抜き離脱自在とされることがなく，補助支柱４０のセットを確実に行うものとしてあり，このとき本例にあっては，支柱の受金具３０も，上記受体３１の受入れを，補助支柱４０の支柱１収納の納まり上，その受入れ開口から回動受入れするものとして，同様に収納の確実性を自ずと得られるようにしてある。
【００１７】
５３は，補助支柱４０下端に，本例において上記下端の閉塞部材及び係合金具５０に設けた中央透孔をガイドとし，これに上下に挿通するように設けた落し錠であり，係合金具５０を地表用の受金具２６に係合した上，落し錠５３を降下させ，該落し錠５３を受金具２６の受体２７と交差することによって，補助支柱４０セット後の屋根自由端支承状態で係合金具５０の抜け防止用の外れ止め手段としてあり，また支柱用の受金具３０にあっては，該受金具３０の受体３１に設けた同じく中央透孔に落し込むことによって，補助支柱４０の支柱１収納状態で，その下端を保持する上記受金具３０に設けて上記と同様に抜け防止用とした，該受金具３０と係合金具５０との外れ止め手段とし，支柱１に対する補助支柱４０の収納を安定且つ確実に行い得るようにし，収納の確実性を向上したものとしてある。
【００１８】
本例のカーポートＡにあっては，各吊持支承金具１０，２０，受金具２６，３０をそれぞれ予め所定位置に設置し，屋根自由端を支承するには，補助支柱４０を係脱金具４４を介して吊持支承金具１０に吊持して水平方向に９０°回動し，係脱手段の係止状態を得，然る後補助支柱４０の係合金具５０を地表用の受金具２６に，補助支柱４０を前後方向に回動して係合し，補助支柱４０の伸縮長さを定める固定手段，本例にあっては抓み付きボルト４１を締着して伸張固定し，落し錠５３を操作するようにすればよく，これを収納するには，上記と逆の手順で係合金具５０，係脱金具４４を外して補助支柱４０を吊持支承金具１０，地表用の受金具２６から取外し，上記蝶ボルト４１の操作によって補助支柱４０長さを縮小固定し，補助支柱４０を同様に係脱金具４４を介して支柱用の吊持支承金具２０に挿入して回動し，係脱手段の係止状態を得，然る後起立軸４７の回動により補助支柱４０の係合金具５０を支柱用の受金具３０に同様に係合し，落し錠５３を操作するようにすればよい。
【００１９】
図１０乃至図１３は，上記Ｕ字状に形成した梁２固定用の吊持支承金具１０に加えて，取付金具５６を用いて，梁２固定用の吊持支承金具１０を屋根フレーム前枠４固定用に共用し該吊持支承金具１０を屋根自由端に設置して，特に梁２を有することなく，支柱１長手方向中間で屋根３を片持ちする一方，支柱１上端と屋根３の前枠４間に吊杆５を介設することによって屋根自由端を吊持ちした上吊りタイプのカーポートＢに部材の共用化を図って補助支柱４０の取付けセットと取外し収納を行うようにした例であり，このとき上記取付金具５６を追加使用して上記梁２固定用の吊持支承金具１０と取付金具５６とによって，前枠４固定用の吊持支承金具を構成するようにした以外には同一部材をそのまま用いるものとしてある。
【００２０】
取付金具５６は，ネジ孔５８を有する固定基板５７とボルト挿通孔６０を有して固定基板５７両側に垂下した両側一対の垂下板５９とによりＵ字状に形成してあり，該取付金具５６を屋根フレームの前枠４長手方向中間位置下面に上記固定基板５７のネジ孔５８を介してターンナット６１を用い，ネジ６２止めするとともに垂下板５９と起立板１３を重合し双方のボルト挿通孔６０，１４を介してボルト１５の軸支固定を行うことによって，上記屋根自由端に設置するものとしてある。
【００２１】
その余は変らないので同一符号を付してその説明を省略する。
【００２２】
図中５は片持ち屋根３の吊杆，１６は梁に対する屋根用の吊持支承金具１０の回動をスムーズにし，また厚さの異なる梁２に対応してこれに設置し得るように起立板１３と梁２間に複数中から選択的に用いてそのスペーサーをなすようにしたアジャスターワッシャー，１７はナット，１８はバネ座金，１９は平座金，２８は底面を補助支柱４０の回動軌跡に合わせて凹陥湾曲し，上端両側の受座２９に地表受金具２６の受体２７を載置支承して，これと一体に地中埋込用とした係合金具５０の確実な係合を確保する一体の埋込ボックス，４２は補助支柱４０の抓み付きボルト４１の受金具，４３は該抓み付きボルト４１の受溝，５４は落し錠５３の操作レバー，５５は該落し錠５３の補助支柱４０における係合溝である。
【００２３】
図示した例は以上のとおりとしたが，上記十字状の係脱金具に代えてＴ字状の係脱金具を用いること，係脱挿入孔を長手方向端部に拡幅部を有する受基板に透設した横長透孔により，同じく鍵穴状のものとし，このとき係脱金具の係止突起は，これを一側に突設した逆Ｌ字状とし，更にこのとき係止突起を平面Ｖ字状をなす如くに複数方向に向けたものとしてその転びを防止するようにすること，屋根用の吊持支承金具を，梁用のものと前枠用のものに別製して，必要に応じて選択的に用いること，更にこのとき係脱挿入孔を共通にして，上記係脱金具の互換性を確保するようにすること，地表の受金具と係合金具とを前記回動して梁に添設状に補助支柱を収納するに用いられるものを転用し且つその係合金具に合わせて支柱の受金具を構成するようにすること，必要に応じて用いる受金具と係合金具との外れ止め手段を，例えば受金具に設けた係合金具弾発保持用のクリップによるものとし又は受金具の支柱近傍位置の支柱と補助支柱下端を締付け固定するバンドとすること，本発明をカーポート以外の自転車置場等の独立構造物又は建物添設構造物の片持ち屋根に適用すること等を含めて，本発明の実施に際して，その各具体的構造，形状，材質，数，寸法，これらの関係，これらに対する付加等は，上記発明の要旨に反しない限り変更し，様々の形態のものとすることができる。
【００２４】
【発明の効果】
本発明は以上のとおりに構成したので，請求項１は，梁，前枠等屋根自由端にこれに合わせた吊持支承金具を設置し，補助支柱をこの吊持支承金具に係脱自在に吊持支承することによって，これと地表の受金具間に介設するようにし，補助支柱の取外しと取付けセットを可能とする一方，屋根を片持ちする支柱に同じく吊持支承金具と受金具を設置し，吊持支承金具に補助支柱の互換的な吊持支承をなし得るようにすることによって，支柱の外側面に対する添設状の収納を可能とし得るように補助支柱と各吊持支承金具及び受金具の関係を規定するようにしたものとなり，これにより補助支柱の収納を使用者の不安を惹起することなく外観よく行い且つ収納とセットとを，車輛等屋根下の障害物の移動除去を行うことなく容易になし得るようにするとともに上記吊持支承金具を梁，前枠等屋根自由端に合わせることによって，梁を用いる上りタイプに限らず，梁を用いない上吊りタイプ乃至吊持タイプの片持ち屋根にも適用し得るようにした片持ち屋根自由端支承装置を提供することができる。
【００２５】
請求項２は，係脱手段の係脱挿入孔と係脱金具の関係を定めることによって，上記に加えて補助支柱の取外し収納と取付けセットの操作性を更に向上したものとすることができる。
【００２６】
請求項３は，吊持支承金具を梁設置用に好適なものとすることによって，同じく上記に加えて，既設の片持ち屋根を含めて支承装置の設置を容易化し得るものとすることができる。
【００２７】
請求項４は，前枠設置用に好適な取付金具を用いて上記梁設置用の吊持支承金具を共用することによって，同じく上記に加えて，設置を容易化し，複雑な専用の吊持支承金具を用いることなく，異なる屋根自由端への対応につき部材の共通化を図ったものとすることができる。
【００２８】
請求項５は，係合金具と受金具との関係を係脱手段の係止状態でのみ係脱自在とすることによって，同じく上記に加えて，屋根自由端と地表受金具間の補助支柱の取付けセットを確実に得られるようにし，屋根自由端の支承に誤操作を防止して支承の確実性を確保したものとすることができる。
【図面の簡単な説明】
【図１】上りタイプカーポートの斜視図
【図２】梁設置の吊持支承金具，地表の受金具と補助支柱の関係を示す斜視図
【図３】補助支柱の屋根自由端支承状態を示す正面図
【図４】梁と補助支柱の関係を示す側面側縦断面図
【図５】梁と吊持支承金具との関係を示す分解斜視図
【図６】補助支柱の収納状態を示す側面図
【図７】支柱の吊持支承金具と補助支柱の関係を示す斜視図
【図８】支柱の受金具と補助支柱の関係を示す斜視図
【図９】補助支柱の上下端部の一部切欠正面図
【図１０】上吊りタイプカーポートの斜視図
【図１１】前枠設置の吊持支承金具，地表の受金具と補助支柱の関係を示す斜視図
【図１２】前枠と補助支柱の関係を示す正面図
【図１３】前枠，梁用の吊持支承金具，取付金具の関係を示す分解斜視図
【符号の説明】
Ａ，Ｂ  カーポート
１      支  柱
２      梁
３      片持ち屋根
４      前  枠
１０    屋根用の吊持支承金具
１２    係脱挿入孔
１５    ボルト
２０    支柱用の吊持支承金具
２２    係脱挿入孔
２６    地表用の受金具
３０    支柱用の受金具
４０    補助支柱
４４    係脱金具
４７    起立軸
４８    係止突起
５０    係合金具
５６    取付金具
６１    ネ  ジ
【図１】
0003629085.tif 000002
【図２】
0003629085.tif 000003
【図３】
0003629085.tif 000004
【図４】
0003629085.tif 000005
【図５】
0003629085.tif 000006
【図６】
0003629085.tif 000007
【図７】
0003629085.tif 000008
【図８】
0003629085.tif 000009
【図９】
0003629085.tif 000010
【図１０】
0003629085.tif 000011
【図１１】
0003629085.tif 000012
【図１２】
0003629085.tif 000013
【図１３】
0003629085.tif 000014